(57)【特許請求の範囲】
【請求項１】
フック棒の先端のフック部を係止し、フック棒を吊り下げるようにして支持するフック棒の止め器具であって、
前記フック部を所定の向きに規制して支持するためのフック部の先端部を収納する凹溝を設けた支持部と、
該支持部との間で前記フック部を前記凹溝の方向とは略直交する向きで進入可能とし、かつ前記凹溝に前記フック部の先端部が係止された状態で前記フック部を前記支持部から抜け止めする間隔でストッパ手段を設けたことを特徴とするフック棒の止め器具。
【請求項２】
壁面、柱等の取り付け部分へ固定する固定部を兼ねる前記ストッパ手段としてのフック棒の当て板と、
該当て板の両側縁から各々Ｌ字形に起立させて設けた側板と、
該対向する側板間に、前記当て板との間で前記フック棒を進入可能とし、かつフック部を抜け止めする間隔をあけて前記凹溝を設けた支持部を配置したことを特徴とする請求項１記載のフック棒の止め器具。
【請求項３】
前記フック棒のフック部を沿わせて当てるための当て板と、
該当て板の両側縁を支持する側板と、
前記当て板の上部に設けた前記フック部を係止するための支持部と、
前記側板との間に、前記支持部との間で前記フック棒を進入可能とし、かつフック部を抜け止めする間隔をあけてストッパ手段を設けたことを特徴とする請求項１記載のフック棒の止め器具。
【請求項４】
前記当て板が、壁面、柱等の止め器具の取り付け面に対して上部が前方に突出する傾斜面に形成されたことを特徴とする請求項３記載のフック棒の止め器具。
【請求項５】
前記側板の上部間にかけ渡して前記フック棒の差し込み位置を規制する天井部を設けたことを特徴とする請求項１、２、３または４記載のフック棒の止め器具。
【請求項６】
前記側板の下部間にかけ渡して底部を設け、該底部で前記側板の略中央部に前記フック棒の横揺れを防止する支持孔を設けたことを特徴とする請求項１、２、３、４または５記載のフック棒の止め器具。
【発明の詳細な説明】
【０００１】
【産業上の利用分野】
本発明はシャッターの引き降ろしあるいは排気窓の開閉等に使用するフック棒の止め器具に関する。
【０００２】
【従来の技術および解決しようとする課題】
シャッターの引き降ろしや排気窓の開閉には、先端をＬ字形のフック状に形成したフック棒が使用される。シャッターのフック棒は、巻き上げられているシャッターの下端に先端のフックをひっかけ、シャッターを引き降ろすように使用し、排気窓等のフック棒は窓のフックにひっかけて窓を開閉操作する。
これらのフック棒は使用しない場合は所定位置に収納しておくのが良いのであるが、従来のシャッター装置等ではフック棒を使用しない場合にこれを収納する手段がとくにないため、壁にたてかけたり、棚に置いたりしているのが現状である。
【０００３】
フック棒には２ｍ程度の長いものもあり、これを単に壁に立てかけておいたりするのは邪魔でもあり、危険でもある。また、所定位置にないことから使いたい時にフック棒がみつからなかったり、紛失したりするといった不便さがあった。
本発明はこのようなフック棒の取扱いを容易にする器具として提供するもので、フック棒の収納が簡単にでき、必要時にフック棒をすぐに使うことができる取扱いの容易なフック棒の止め器具を提供しようとするものである。
【０００４】
【課題を解決するための手段】
本発明は上記目的を達成するため次の構成を備える。
すなわち、フック棒の先端のフック部を係止し、フック棒を吊り下げるようにして支持するフック棒の止め器具であって、前記フック部を所定の向きに規制して支持するためのフック部の先端部を収納する凹溝を設けた支持部と、該支持部との間で前記フック部を前記凹溝の方向とは略直交する向きで進入可能とし、かつ前記凹溝に前記フック部の先端部が係止された状態で前記フック部を前記支持部から抜け止めする間隔でストッパ手段を設けたことを特徴とする。
また、壁面、柱等の取り付け部分へ固定する固定部を兼ねる前記ストッパ手段としてのフック棒の当て板と、該当て板の両側縁から各々Ｌ字形に起立させて設けた側板と、該対向する側板間に、前記当て板との間で前記フック棒を進入可能とし、かつフック部を抜け止めする間隔をあけて前記凹溝を設けた支持部を配置したことを特徴とする。
また、前記フック棒のフック部を沿わせて当てるための当て板と、該当て板の両側縁を支持する側板と、前記当て板の上部に設けた前記フック部を係止するための支持部と、前記側板との間に、前記支持部との間で前記フック棒を進入可能とし、かつフック部を抜け止めする間隔をあけてストッパ手段を設けたことを特徴とする。
また、前記当て板が、壁面、柱等の止め器具の取り付け面に対して上部が前方に突出する傾斜面に形成されたことを特徴とする。
また、前記側板の上部間にかけ渡して前記フック棒の差し込み位置を規制する天井部を設けたことを特徴とする。
また、前記側板の下部間にかけ渡して底部を設け、該底部で前記側板の略中央部に前記フック棒の横揺れを防止する支持孔を設けたことを特徴とする。
【０００５】
【発明の実施の形態】
以下、本発明の好適な実施形態について説明する。
（第１実施形態）
本発明に係るフック棒の止め器具はフック棒の先端に設けたフック部を係止し、吊り下げて支持できるように構成することを特徴とする。
図１はフック棒の止め器具の第１実施形態を示す斜視図、図２は止め器具の平面図、図３は止め器具にフック棒を装着した状態を示す斜視図である。
【０００６】
実施形態のフック棒の止め器具は図１に示すように壁面あるいは柱等へ止め器具を取り付けるための取付部でもある当て板１０と、当て板１０の両側縁からＬ字形に折り曲げて立ち上げ形状に形成した側板１２ａ、１２ｂと、対向する側板１２ａ、１２ｂ間を所定幅で連結し、フック棒の先端に設けたフック部を引っかけるため中央部に凹溝１４ａを形成した支持部１４とから成る。
【０００７】
支持部１４は図のように側板１２ａ、１２ｂの上端から１／３程度下がった位置で、側板１２ａ、１２ｂの前縁側で連結し、支持部１４の後端縁と当て板１０とを離間させて配置する。
図２は支持部１４を側板１２ａ、１２ｂの前縁側に配置し、支持部１４と当て板１０との間を空き空間とした様子を示す。支持部１４を当て板１０から離間させて配置するのは、フック棒２０を止め器具に装着する際にフック棒２０の先端のフック部２０ａを支持部１４と当て板１０との間に進入させ、支持部１４の後ろ側から支持部１４に引っかけるようにするためである。
【０００８】
支持部１４と当て板１０との間隔はフック部２０ａが進入できる間隔とする。フック棒２０は種類によってフック部２０ａの大きさに大小があり、形状も異なるし、フック部２０ａと軸との取り付け位置もまちまちであるから、支持部１４と当て板１０との間隔は異種製品でも共通に使用できるよう設定しておく必要がある。なお、支持部１４と当て板１０との間にフック部２０ａを進入させる場合はフック部２０ａを当て板１０の面と平行にして進入させる。したがって、側板１２ａ、１２ｂの間隔はフック部２０ａの寸法を考慮して設定する必要がある。
【０００９】
図３に止め器具にフック棒２０を装着した状態を示す。フック棒２０はフック部２０ａを支持部１４の凹溝１４ａに入れて装着する。凹溝１４ａはフック部２０ａがちょうどはいる程度の幅に形成し、凹溝１４ａ内にフック部２０ａがはいり込んで支持されるようにする。支持部１４の幅をフック部２０ａが装着された際にがたつきなく支持できる程度の幅寸法にすることにより、フック部２０ａを凹溝１４ａに収容した状態でフック棒２０は正面向きで安定して支持される。
【００１０】
前述したように、支持部１４と当て板１０との間隔はフック部２０ａを進入させるに必要な間隔に設定するが、この間隔は支持部１４にフック部２０ａを係止した状態でフック部２０ａが後方に位置ずれした場合でもフック部２０ａの後端面が当て板１０に当接して支持部１４から外れない間隔に設定する必要がある。支持部１４にフック部２０ａを係止した際にはフック部２０ａは正面向きになっているから、フック部２０ａが位置ずれしてもフック部２０ａが必ず当て板１０に当接し、これによって支持部１４からフック部２０ａが外れないように寸法設定する。
【００１１】
止め器具をこのような形態にすれば、フック棒２０を当て板１０の面とフック部２０ａを平行にして支持部１４と当て板１０との間に進入させ、フック部２０ａが支持部１４の上方まで抜け出たところで、フック部２０ａを正面向きになるようフック棒２０を回し、支持部１４にフック部２０ａをひっかけることで、支持部１４から抜け落とさずに確実にフック棒２０を係止することができる。フック棒２０は支持部１４に係止され、止め器具に吊り下げられて支持される。
【００１２】
当て板１０は壁面あるいは柱等にビス止めあるいは接着剤等で固定して使用する。フック棒２０は比較的長いものも使用するから支持部１４にフック部２０ａを引っかける際に壁面等にフック棒があたったりするおそれがある。当て板１０はフック棒２０の先端のフック部２０ａを当ててすべらせるようにして進入させ、フック棒２０が壁面等にじかにあたらないように保護している。側板１２ａ、１２ｂは止め器具内にフック棒２０の先端を導入するガイドとしても作用する。
【００１３】
本実施形態のフック棒の止め器具は当て板１０、側板１２ａ、１２ｂ、支持部１４を一体形成したものであるが、材質的にはとくに限定されるものではない。たとえば、所定の強度を有するプラスチック材により一体成形することも可能であり、金属材を用いて形成することも可能である。
図４は金属板から上記実施形態の止め器具を形成する場合の構成例を示す。一枚板の金属板２２を使用し、金属板２２に切り込み２４を入れ、折り曲げ成形し、支持部１４を溶接して形成する方法である。線Ａが折り曲げ位置、線Ｂが切り込み位置を示す。
【００１４】
１４ａ、１４ｂは支持部１４となる部分で、側板１２ａ、１２ｂを立ち上がり形状に折り曲げ、凹溝１４ａを形成するよう支持部１４ａ、１４ｂを曲げ成形し、支持部１４ａ、１４ｂを重ねて溶接することによって、図１に示すと同形態の止め器具が得られる。
【００１５】
（第２実施形態）
図５はフック棒の止め器具の第２実施形態を示す斜視図である。本実施形態の止め器具は当て板１０の上端縁と側板１２ａ、１２ｂの上端縁間に天井部１６を設けたことを特徴とする。なお、側板１２ａ、１２ｂと支持部１４の基本的な構成は第１実施形態と同様である。
本実施形態のように天井部１６を設ける構成とした場合は、フック棒２０を支持部１４の後方に差し入れた際にフック棒２０の差し込み位置が規制され、天井部１６にフック部２０ａがあたったところでフック部２０ａを正面向きにして支持部１４に引っかけるようにするといった操作ができる。
【００１６】
また、天井部１６を設けたことにより止め器具の強度を向上させることが可能になる。実施形態では天井部１６は側板１２ａ、１２ｂの全幅の１／２程度覆っているが、側板１２ａ、１２ｂの全幅で設けてもよい。
また、本実施形態では側板１２ａ、１２ｂの下部側を円弧状に切り欠いた形状としているが、側板１２ａ、１２ｂのデザインはとくに限定されるものではない。また、第１実施形態においても、側板１２ａ、１２ｂは支持部１４よりも下側を上部側の１／２程度の幅で形成しているが、もちろん側板１２ａ、１２ｂの上部と同幅で下部側まで延設するようにデザインすることもできる。
【００１７】
（第３実施形態）
図６はフック棒の止め器具の第３実施形態を示す斜視図である。本実施形態の止め器具は側板１２ａ、１２ｂの下端縁間に底部１８を設け、底部１８にフック棒２０の軸を挿通して支持する支持孔１８ａを設けたことを特徴とする。支持孔１８ａは支持部１４にフック部２０ａを引っかけてフック棒２０を止め器具に装着した際に、フック棒２０の軸が揺れないように支持するために設けるものである。
【００１８】
フック棒２０のフック部２０ａを支持部１４に係止する際には止め器具内にフック部２０ａを挿入し、支持孔１８ａにフック棒２０ａの軸を挿通した状態でフック棒２０を回すことによりフック部２０ａを支持部１４の凹溝１４ａにのせることができる。支持孔１８ａはフック棒２０の軸の外径に合わせて径寸法を設定しておけば、フック棒２０を支持部１４に係止した状態でフック棒２０が横揺れすることを防止することができる。
【００１９】
もちろん、止め器具にフック棒２０を係止した状態でフック棒２０の横揺れを防止する方法としては、壁面あるいは柱等の止め器具を固定した壁面にフック棒２０の手持ち部分を係止する係止部材を取り付ける方法も可能である。しかしながら、この場合には係止部材を取り付ける位置をフック棒２０の長さに応じて設定しなければならないのに対し、本実施形態の止め器具は止め器具だけである程度フック棒２０の横揺れを防止できるという利点がある。
【００２０】
（第４実施形態）
図７はフック棒の止め器具の第４実施形態を示す。本実施形態の止め器具は、上述した実施形態にくらべて支持部１４を肉厚に形成したこと、側板１２ａ、１２ｂを上下方向に同幅で形成したことを特徴とする。本実施形態はプラスチック材を用いて形成する場合等のように、支持部１４で所要の強度が得られるようにする場合に好適に適用できる。このように止め器具のデザインとしては種々の形態を採用することが可能である。
【００２１】
（第５実施形態）
図８、９はフック棒の止め器具の第５実施形態を示す。本実施形態の止め器具は、フック棒２０の軸の太さが製品によってまちまちでかなり軸の径が異なることがあることから、軸径が異なるフック棒２０であっても装着できるようにしたことを特徴とする。図８は止め器具をフック棒２０を挿入する側から見た状態、図９は上面から見た状態である。
【００２２】
本実施形態の止め器具は当て板１０に対向する側板１２ａ、１２ｂの前端縁間に前面板１２ｃを設け、前面板１２ｃと当て板１０との間に支持部１４を取り付ける。支持部１４にフック部２０ａをひっかける凹溝１４ａを設けることは他の実施形態と同様である。前面板１２ｃと当て板１０との間に取り付ける支持部１４は、図９に示すように側板１２ａ、１２ｂと支持部１４との間隔を左右で異なるように設定し、間隔を広くとった側では軸の太いフック棒２０をかけられるようにし、間隔を狭くした側では軸の細いフック棒２０をかけられるようにする。このように、当て板１０と前面板１２ｃとの間で支持する支持部１４の設置位置を規定することで軸の太さに大小がある場合でも適宜選択してフック棒２０をかけることが可能になる。
【００２３】
（第６実施形態）
以上説明した実施形態は、いずれも、フック棒２０を支持部１４に係止する際に、当て板１０にフック棒２０の先端のフック部２０ａを沿わせながらフック棒２０を持ち上げ、支持部１４に係止する際にはフック部２０ａが正面向きになるようフック棒２０を回して係止するものである。第６、７実施形態は、支持部１４にフック部２０ａを係止させる方法は上記実施形態と同様であるが、フック部２０ａを支持部１４に係止させる際に、フック部２０ａの先端が取り付け面側に向くようにフック棒２０を係止する点が異なる。
【００２４】
図１０はフック棒の止め器具の第６実施形態の斜視図である。本実施形態ではフック部２０ａを沿わせるように当てる当て板１０を止め器具の取り付け面に対して上部が前方に突出する傾斜面に形成し、当て板１０の上端部に支持部１４を配置して、当て板１０と支持部１４の両側縁部分を側板１２ａ、１２ｂで支持する構成としている。
【００２５】
図１１に止め器具を取り付け面側から見た斜視図を示す。当て板１０が側板１２ａ、１２ｂの後端縁に対して傾斜して設けられていること、当て板１０の上部と側板１２ａ、１２ｂに支持部１４が支持されていることを示す。１１は支持部１４の後端縁と側板１２ａ、１２ｂとの間で支持する取付板である。取付板１１はフック棒を支持部１４に係止した際にフック部２０ａが柱等の取付面にあたって取付面をきずつけたりしないようにするためと、ビス等で止め金具を取付面に固定できるようにするために設けている。
【００２６】
図１０で１６は側板１２ａ、１２ｂの上端間に設けた天井部である。天井部１６の作用は第２実施形態の場合と同様である。
３０はフック棒２０を支持部１４に係止した際に、フック棒２０が支持部１４から外れないようにするストッパ板である。本実施形態では支持部１４に対しフック部２０ａの先端を取付面側に向けて引っかけるから、支持部１４の前方にストッパ板３０を設けて、フック棒２０が係止位置から外れないようにしている。ストッパ板３０はフック棒２０が支持部１４の凹溝１４ａから抜けて外れないようにするものであれば、大きさ、形状等はとくに限定されない。
【００２７】
図１２に本実施形態の止め器具にフック棒２０を装着した様子を示す。ストッパ板３０はフック部２０ａが動いた場合でもフック部２０ａの後端面が当接してフック棒２０が支持部１４から抜け落ちないようにするためのもので、フック部２０ａの寸法に応じて支持部１４とストッパ板３０との間隔を適当に設定する。フック棒２０は当て板１０の面とフック部２０ａを平行にして当て板１０に沿わせながら止め器具内に差し入れ、取り付け面側にフック部２０ａの先端を向けて支持部１４に係止する。
【００２８】
本実施形態の場合も、前述した実施形態と同様に簡単にフック棒２０を引っかけて係止することができ、引っかけた後は安全に吊り下げて支持することができる。本実施形態の場合は、フック部２０ａの先端を壁面や柱等の取り付け部に向けて係止させるから、フック棒の引っ掛け方法がより自然な操作でできるという利点がある。また、本実施形態の場合はフック部２０ａの先端を取り付け面側に向けたことでフック棒２０を引っかけた状態で取付面から手前にフック棒２０が離れて支持され、フック棒２０を引っ掛ける操作や取り外し操作が容易にできるようになるという利点がある。
【００２９】
（第７実施形態）
図１３、１４は第６実施形態と同様に、手前側からフック棒を引っかける方式の止め器具の他の実施形態を示す。本実施形態は止め器具を柱あるいは壁面に確実に取り付けられるよう当て板１０の後面に底面が取付板１１と同一面になるよう突出部３２を設けたことを特徴とする。当て板１０の正面側は図１３に示すように突出部３２に対応して溝部３２ａとなる。
本実施形態では当て板１０が傾斜面となるが、突出部３２は取付板１１と同様に柱等の取付面にぴったりと当接するから、突出部３２の底面にビス穴等を設けて確実に止め器具を固定することが可能になる。
【００３０】
以上、フック棒の止め器具について、いくつか実施形態をあげて説明したが、止め器具の大きさ、デザインはフック棒に応じて適宜変更することが可能であり、本発明は上記実施形態に限定されるものではない。
また、実施形態では鍵状に形成されたフック棒を例に説明したが、本発明は所定幅を有する支持部１４に凹溝を設けてフック部を係止した際にフックの向きを規制するようにした点に特徴がある。したがって、止め器具を壁面あるいは柱面に取り付ける際もその取り付け方向が限定されるものではなく、上記実施形態のように壁面や柱に正対する向きではなく、横向き（側板を壁面に取り付ける向き）に取り付けるといったことも可能である。また、フック部も支持部に係止した際に一定の向きに規制されて支持されるものであればその形状がとくに限定されるものではない。また、フック棒もシャッターの引き降ろしに使用するフック棒に限らず、排気窓、排煙窓等の開閉に使用するフック棒にも使用することができる。
【００３１】
【発明の効果】
本発明に係るフック棒の止め器具は、上述したように、構成が簡易で製造が容易であるとともに、フック棒を装着したり取り外ししたりする操作が容易で、使いやすい器具として提供することができる。フック棒は止め器具から容易に外れないよう確実に装着される。これにより不使用時にフック棒の収納が容易になり、フック棒の扱いが容易になるとともに、さらにフック棒の使い勝手を向上させることができる等の著効を奏する。
【図面の簡単な説明】
【図１】フック棒の止め器具の第１実施形態の斜視図である。
【図２】フック棒の止め器具の第１実施形態の平面図である。
【図３】第１実施形態のフック棒の止め器具にフック棒をかけた状態を示す斜視図である。
【図４】板体からフック棒の止め器具を形成する方法を示す説明図である。
【図５】フック棒の止め器具の第２実施形態の斜視図である。
【図６】フック棒の止め器具の第３実施形態の斜視図である。
【図７】フック棒の止め器具の第４実施形態の斜視図である。
【図８】フック棒の止め器具の第５実施形態の斜視図である。
【図９】フック棒の止め器具の第５実施形態の平面図である。
【図１０】フック棒の止め器具の第６実施形態の斜視図である。
【図１１】第６実施形態のフック棒の止め器具を取付面側から見た斜視図である。
【図１２】第６実施形態のフック棒の止め器具にフック棒をかけた状態を示す説明図である。
【図１３】フック棒の止め器具の第７実施形態の斜視図である。
【図１４】第７実施形態のフック棒の止め器具を取付面側から見た斜視図である。
【符号の説明】
１０  当て板
１１  取付板
１２ａ、１２ｂ  側板
１４  支持部
１４ａ  凹溝
１６  天井部
１８  底板
１８ａ  支持孔
２０  フック棒
２０ａ  フック部
２２  金属板
３０  ストッパ板
３２  取付部
【図１】
0003623316.tif 000002
【図２】
0003623316.tif 000003
【図３】
0003623316.tif 000004
【図４】
0003623316.tif 000005
【図５】
0003623316.tif 000006
【図６】
0003623316.tif 000007
【図７】
0003623316.tif 000008
【図８】
0003623316.tif 000009
【図９】
0003623316.tif 000010
【図１０】
0003623316.tif 000011
【図１１】
0003623316.tif 000012
【図１２】
0003623316.tif 000013
【図１３】
0003623316.tif 000014
【図１４】
0003623316.tif 000015